(57)【要約】【課題】窓枠の縦枠の室外側端の補強リブの角部の加工数を削減して、製造コストを低減することができる開口部装置を提供する。【解決手段】窓枠の縦枠は、室外側端に形成された補強リブ３１を備え、この補強リブ３１は、外側に向かって延びる室外面部３２と、この室外面部３２の先端から室内側に丸みをつけて折曲された折曲部３３と、この折曲部の上下の角部にそれぞれ形成された面取り部３４とを備えている。【選択図】      図４
2004316128.tif 000002
【特許請求の範囲】
【請求項１】
窓枠の縦枠が室外側端に形成された補強リブを備え、この補強リブは、外側に向かって延びる室外面部と、この室外面部の先端から室内側に丸みをつけて折曲された折曲部と、この折曲部の上下の角部にそれぞれ形成された面取り部とを備えていることを特徴とする開口部装置。
【請求項２】
窓枠の縦枠が室外側端に形成された補強リブを備え、この補強リブは、外側に向かって延びる室外面部と、この室外面部の先端から室内側に丸みをつけて折曲された折曲部と、この折曲部の上下の角部にそれぞれ形成された面取り部とを備えており、
方立の室外側端に形成された室外面部と略面一に前記縦枠の前記室外面部が配置されるとともに、前記方立の前記室外面部の先端に形成された屋外側から係合可能な係合受け部に、前記縦枠の前記折曲部が挿入されて係合され、かつ前記方立の前記室外面部の先端が、前記縦枠の前記室外面部側に張り出していることを特徴とする開口部装置。
【発明の詳細な説明】
【０００１】
【発明の属する技術分野】
本発明は、開口部装置に関する。
【０００２】
【従来の技術】
図６は、窓サッシの横断面図である。この窓サッシは、縦すべり出し窓であり、上枠、下枠（いずれも図示せず）および左右の縦枠１、１により方形に組み立てられた窓枠３内に、縦すべり出しで開閉する障子４が取り付けられて構成されている。縦枠１は、アルミニウム合金製の押出形材からなるもので、この縦枠１の室外側端には、縦枠１の長手方向に連続する補強リブ５が一体的に形成されている。この補強リブ５は、縦枠１の外側に向かって延びる室外面部６と、この室外面部６の先端から室内側に略直角に折曲する折曲部７とからなる。
【０００３】
このような窓サッシの窓枠３の縦枠１は、図７に示すように、補強リブ５の室外面部６と折曲部７との接合部の上下端の角部８および折曲部７の角部９が角張ったままであると、これらの下側の角部に人の頭や背中その他の体の一部が当たったり、引っかかったりして、怪我をする虞があるので、最近では、これらの角部８および角部９を取り除く加工が行われるようになっている。
これらの角部８および角部９を取り除く加工は、従来、図７に示すように、矢印Ａのように折曲部７の端部とともに隅部８を切除して、隅部８に面取りを施した後、矢印Ｂのように折曲部７の端部をさらに切除することにより行っている。なお、この従来の窓サッシの窓枠３の縦枠１は、慣用されているものであるので、先行技術文献情報は特に記載しない。
【０００４】
【発明が解決しようとする課題】
しかしながら、このような従来の窓サッシにおいては、窓枠３の縦枠１の角部８および角部９を取り除く加工を２段階に渡って行う必要があるため、加工の手間がかかり、製造コストが高くなるという問題がある。
【０００５】
本発明は、上記事情に鑑みて為されたもので、窓枠の縦枠の室外側端の補強リブの角部の加工数を削減して、製造コストを低減することができる開口部装置を供することを目的とする。
また、本発明は、窓枠の縦枠の室外側端の補強リブの角部の加工数を削減して、縦枠の製造コストを低減することができるとともに、窓枠の縦枠と方立との連結部の室外側外観を引き締まったものとすることができて、美観を保つことができる開口部装置を提供することを目的とする。
【０００６】
【課題を解決するための手段】
上記目的を達成するために、請求項１に記載の開口部装置は、窓枠の縦枠が室外側端に形成された補強リブを備え、この補強リブは、外側に向かって延びる室外面部と、この室外面部の先端から室内側に丸みをつけて折曲された折曲部と、この折曲部の上下の角部にそれぞれ形成された面取り部とを備えていることを特徴とする。
【０００７】
請求項１に記載の発明においては、縦枠の室外側端の補強リブの室外面部と折曲部との接合部に丸みがつけられているので、この接合部の上下端の角部を加工する必要がなく、折曲部の上下の角部を面取りして面取り部を形成すれば、この補強リブの隅部に人の頭や背中その他の体の一部が当たったり、引っかかったりして、怪我をするのを防止することができる。したがって、縦枠の室外側端の補強リブの角部の加工数が削減され、縦枠の製造コストが低減する。
【０００８】
請求項２に記載の開口部装置は、窓枠の縦枠が室外側端に形成された補強リブを備え、この補強リブは、外側に向かって延びる室外面部と、この室外面部の先端から室内側に丸みをつけて折曲された折曲部と、この折曲部の上下の角部にそれぞれ形成された面取り部とを備えており、方立の室外側端に形成された室外面部と略面一に前記縦枠の前記室外面部が配置されるとともに、前記方立の前記室外面部の先端に形成された屋外側から係合可能な係合受け部に、前記縦枠の前記折曲部が挿入されて係合され、かつ前記方立の前記室外面部の先端が、前記縦枠の前記室外面部側に張り出していることを特徴とする。
【０００９】
請求項２に記載の発明においては、縦枠の室外側端の補強リブの室外面部と折曲部との接合部に丸みがつけられているので、この接合部の上下端の角部を加工する必要がなく、折曲部の上下の角部を面取りすれば、この補強リブの隅部に人の頭や背中その他の体の一部が当たったり、引っかかったりして、怪我をするのを防止することができる。したがって、縦枠の室外側端の補強リブの角部の加工数が削減され、縦枠の製造コストが低減する。
また、縦枠の室外側端の補強リブの室外面部と折曲部との接合部に丸みがつけられていることから、従来のような方立を用いて、この補強リブの折曲部を方立の係合受け部に挿入して係合すると、補強リブの室外面部と方立の室外面部との間の隙間の幅が従来よりも大きくなって、しまりのない外観となってしまうが、本発明では、方立の室外面部の先端が縦枠の室外面部側に張り出しているので、方立の室外面部と補強リブの室外面部との間が狭くなり、したがって窓枠の縦枠と方立との連結部の室外側外観が引き締まったものとなり、美観が損なわれない。
【００１０】
【発明の実施の形態】
以下、添付した図面を参照しながら、本発明の実施の形態を説明する。
図１乃至図４は本発明の実施の形態に係る連窓サッシを示す図であって、図１は横断面図であり、図２は方立と縦枠との連結部を示す斜視図であり、図３は方立と縦枠の室外側端の補強リブとの連結部を示す平面図であり、図４は縦枠の室外側端の補強リブの端部を示す斜視図である。
【００１１】
図１に示すように、この連窓サッシ（開口部装置）は、互いに隣り合う窓枠１１と窓枠１２とが方立１３により連結されて組み立てられている。窓枠１１は、上枠、下枠（いずれも図示せず）および左右の縦枠１５、１６により方形に組み立てられており、この窓枠１１内に縦すべり出しで開閉する障子１７が取り付けられて、縦すべり出し窓１９が構成されている。一方、窓枠１２は、上枠、下枠（いずれも図示せず）および左右の縦枠２１、２２により方形に組み立てられており、この窓枠１２内に嵌め殺し部２３が設けられて、嵌め殺し窓２５が構成されている。窓枠１１および窓枠１２を構成する各枠、並びに方立１３は、アルミニウム合金製の押出形材から形成されている。
【００１２】
窓枠１１の方立１３と連結される側の縦枠１６には、室外側端に縦枠１６の長手方向に連続する補強リブ３１が一体的に形成されている。この補強リブ３１は、縦枠１６の外側（面外方向）に向かって直線状に延びる室外面部３２と、この室外面部３２の先端から室内側に折曲する折曲部３３とからなる。図４に示すように、折曲部３３は、この室外面部３２の先端から室内側に丸みをつけて折曲されている。この丸みは、通常、外側半径Ｒが１．０〜２．５ｍｍ程度であるが、１．５〜２．０ｍｍ程度にするのがより好ましい。また、この折曲部３３の上下の角部にはそれぞれ、所定の角度で面取りされた面取り部３４が形成されている。面取りの角度は、通常４５度であるが、例えば、１５度や３０度等の他の角度であってもよい。
【００１３】
また、縦枠１６には、中間部に縦枠１６の長手方向に連続する補強リブ３６が一体的に形成されている。この補強リブ３６は、縦枠１６の外側に向かって直線状に延びる直線部３７と、この直線部３７の先端から室内側に略直角に折曲する折曲部３８とからなる。
また、縦枠１６には、室内端から僅かに室外側の位置に、縦枠１６の長手方向に連続する取付板部４１が一体的に形成されている。この取付板部４１は、縦枠１６の外側に向かって直線状に延びる取付部４２と、この取付部４２の先端から室内外方向に僅かに突出する係合部４３とからなり、取付部４２には、固着具であるねじが任意の位置で螺着できるように、取付部４２の長手方向に連続する溝状の螺着部４４が形成されている。
【００１４】
窓枠１１の方立１３と反対側の縦枠１５は、縦枠１６と略同様に形成されている。すなわち、縦枠１５の中間部に一体に形成された補強リブ４６は、縦枠１６の補強リブ３６よりも外側に長く延びており、直線部３７の先端からさらに直線状に外側に延びている取付部４７を備えている。縦枠１５は、この取付部４７を備えている点でのみ縦枠１６と異なっている。この取付部４７は建物の躯体に縦枠１５を取り付けるために用いられる。方立１３と連結される縦枠１６は、縦枠１５のこの取付部４７が切除されることにより作製される。縦枠１５は、連窓サッシにおいて方立１３と反対側の縦枠として用いられる他、単体の窓サッシの左右の縦枠にも用いられる。
【００１５】
一方、窓枠１２の方立１３と連結される側の縦枠２１には、窓枠１１の縦枠１６と同様に、室外側端の補強リブ３１、中間部の補強リブ３６および室内端部の取付板部４１が一体的に形成され、また補強リブ３１の折曲部３３には上下の角部にそれぞれ面取り部３４が形成されている。
また、窓枠１２の方立１３と反対側の縦枠２２は、縦枠１５の場合と同様に、縦枠２１の中間部に一体に形成された補強リブ４６が、縦枠２１の補強リブ３６よりも外側に長く延びており、直線部３７の先端からさらに直線状に外側に延びている取付部４７を備えている。縦枠２２は、この取付部４７を備えている点でのみ縦枠２１と異なっている。取付部４７は、建物の躯体に縦枠２２を取り付けるために用いられる。方立１３と連結される縦枠２１は、縦枠２２の補強リブ４６の取付部４７が切除されることにより作製される。縦枠２２は、連窓サッシの方立１３と反対側の縦枠として用いられる他、単体の窓サッシにも用いられる。
【００１６】
上記方立１３は、横断面形状が略「Ｉ」字状に形成されたもので、室内外方向に延びる縦板部５１と、この縦板部５１の室外側端に縦板部５１と直交するように延びる室外面部５２と、縦板部５１の室内側端に縦板部５１と直交するように延びる室内面部５３とを備えている。室外面部５２の両端にはそれぞれ、先端から略釣り針状に室内側に折曲された係合受け部５５、５５が一体に形成されている。また、室外面部５２の両端の室外側がそれぞれ、外側（縦枠１６の補強リブ３１の室外面部３２側および縦枠２１の補強リブ３１の室外面部３２側）に張り出して、張り出し部５６、５６が形成されている。張り出し部５６は、室外面部５２と室外面側において面一になるように形成されている。
【００１７】
方立１３と窓枠１１の縦枠１６とは、方立１３の室外面部５２と縦枠１６の補強リブ３１の室外面部３２とが室外面側において略面一に配置されるとともに、方立１３の一方の係合受け部５５に縦枠１６の折曲部３３が挿入されて係合されている。このとき、図３に示すように、方立１３の室外面部５２の一方の先端の室外側が、縦枠１６の補強リブ３１の室外面部３２側に張り出しているので、この張り出し部５６により室外面部５２と補強リブ３１の室外面部３２との隙間が埋められ、これによりこの隙間の幅Ｗが狭くなる。
また、方立１３の室内面部５３の室外側に、縦枠１６の取付板部４１が当接されて、室内面部５３の縦板部５１近傍に形成された係合溝５７に縦枠１６の係合部４３が係合され、ねじ５８により室内面部５３が縦枠１６の螺着部４４にねじ止めされている。
【００１８】
一方、方立１３と窓枠１２の縦枠２１とは、方立１３の室外面部５２と縦枠２１の補強リブ３１の室外面部３２とが略面一に配置されるとともに、方立１３の他方の係合受け部５５に縦枠２１の折曲部３３が挿入されて係合されている。このとき、方立１３の室外面部５２の他方の先端の室外側が、縦枠２１の補強リブ３１の室外面部３２側に張り出しているので、この張り出し部５６により室外面部５２と補強リブ３１の室外面部３２との隙間が埋められ、これによりこの隙間の幅が狭くなる。
また、方立１３の室内面部５３の室外側に、縦枠２１の取付板部４１が当接されて、室内面部５３の縦板部５１近傍に形成された係合溝５７に縦枠２１の係合部４３が係合され、ねじ５８により室内面部５３が縦枠２１の螺着部４４にねじ止めされている。
【００１９】
上述のように構成された連窓サッシにあっては、窓枠１１の縦枠１５および縦枠１６、ならびに縦枠２１および縦枠２２がそれぞれ、補強リブ３１の室外面部３２と折曲部３３との接合部に丸みがつけられているので、この接合部の上下端の角部を加工する必要がなく、折曲部３３の上下の角部を面取りして面取り部３４を形成すれば、この補強リブ３１の隅部に人の頭や背中その他の体の一部が当たったり、引っかかったりして、怪我をするのを防止することができる。したがって、これらの縦枠１５、縦枠１６、縦枠２１および縦枠２２にあっては、室外側端の補強リブ３１の角部の加工数を削減することができ、各縦枠の製造コストを低減することができる。
【００２０】
また、窓枠１１の縦枠１６と方立１３との連結部においては、方立１３の室外面部５２の一方の先端の室外側が、縦枠１６の補強リブ３１の室外面部３２側に張り出しているので、この張り出し部５６が室外面部５２と補強リブ３１の室外面部３２との隙間を埋めて、この隙間の幅Ｗを狭くすることができる。その結果、窓枠１１の縦枠１６と方立１３との連結部の室外側外観を引き締まったものとすることができ、美観を保つことができる。
【００２１】
なお、縦枠１６の室外側端の補強リブ３１の室外面部３２と折曲部３３との接合部に丸みがつけられていることから、図５に示すように、従来のような方立６１を用いて、この補強リブ３１の折曲部３３を方立６１の係合受け部５５に挿入して係合すると、補強リブ３１の室外面部３２と方立６１の室外面部５２との間の隙間の幅Ｗ１が従来よりも大きくなって、しまりのない外観となってしまう。
【００２２】
窓枠１２の縦枠２１と方立１３との連結部にあっても、方立１３の室外面部５２の他方の先端の室外側が、縦枠２１の補強リブ３１の室外面部３２側に張り出しているので、この張り出し部５６により室外面部５２と補強リブ３１の室外面部３２との隙間を狭くでき、したがって窓枠１２の縦枠２１と方立１３との連結部の室外側外観を引き締まったものとすることができて、美観を保つことができる。
【００２３】
【発明の効果】
以上説明したように、請求項１に記載の開口部装置によれば、縦枠の室外側端の補強リブの室外面部と折曲部との接合部に丸みを設けたので、この接合部の上下端の角部を加工する必要がなく、折曲部の上下の角部を面取りして面取り部を形成すれば、この補強リブの隅部に人の頭や背中その他の体の一部が当たったり、引っかかったりして、怪我をするのを防止することができるため、縦枠の室外側端の補強リブの角部の加工数を削減して、製造コストを低減することができる。
【００２４】
請求項２に記載の開口部装置によれば、縦枠の室外側端の補強リブの室外面部と折曲部との接合部に丸みを設けたので、窓枠の縦枠の室外側端の補強リブの角部の加工数を削減して、縦枠の製造コストを低減することができるとともに、方立の室外面部の先端が縦枠の室外面部側に張り出しているので、方立の室外面部と補強リブの室外面部との間が狭くなるため、窓枠の縦枠と方立との連結部の室外側外観を引き締まったものとすることができて、美観を保つことができる。
【図面の簡単な説明】
【図１】本発明の実施の形態に係る連窓サッシを示す図であって、連窓サッシの横断面図である。
【図２】同、方立と縦枠との連結部を示す斜視図である。
【図３】同、方立と縦枠の室外側端の補強リブとの連結部を示す平面図である。
【図４】同、縦枠の室外側端の補強リブの端部を示す斜視図である。
【図５】従来の方立と縦枠の室外側端の補強リブとの連結部を示す平面図である。
【図６】従来の窓サッシを示す横断面図である。
【図７】従来の縦枠の角部の加工方法を説明するための斜視図である。
【符号の説明】
１１、１２    窓枠
１３    方立
１５、１６、２１、２２    縦枠
３１    補強リブ
３２    室外面部
３３    折曲部
３４    面取り部
５２    室外面部
５５    係合受け部
【図１】
2004316128.tif 000003
【図２】
2004316128.tif 000004
【図３】
2004316128.tif 000005
【図４】
2004316128.tif 000006
【図５】
2004316128.tif 000007
【図６】
2004316128.tif 000008
【図７】
2004316128.tif 000009